(57)【要約】  【課題】  一般的な冷却保存機能の他に保温機能を有した温度切替室を備えることにより、利便性の高い冷蔵庫を提供することである。  【解決手段】  冷蔵庫１は、冷気を発生する冷却装置と、少なくとも１つの貯蔵室と、室温を切り替えられる温度切替室３と、冷気を温度切替室３へ通風する第１の導入通風路１２と、第１の導入通風路１２に設けられ温度切替室３へ通風する風量を調整する第１のダンパ１３と、温度切替室３内の空気を冷却装置へ通風する第１の戻り通風路と、第１の戻り通風路に設けられ温度切替室３から出る空気の風量を調整する第２のダンパと、温度切替室３の温度を上げるヒータ１５と、ヒータ１５を制御して温度切替室３の室温を５０〜８０℃にする制御部とを備えた構成とする。【選択図】      図３
2006125705.tif 000002
【特許請求の範囲】
【請求項１】
冷気を発生する冷却装置と、少なくとも１つの貯蔵室と、室温を切り替えられる温度切替室と、冷気を前記温度切替室へ通風する第１の導入通風路と、前記温度切替室内の空気を前記冷却装置へ通風する第１の戻り通風路と、前記温度切替室の温度を上げるヒータと、該ヒータを制御して前記温度切替室の室温を５０〜８０℃にする制御部とを備えた冷蔵庫。
【請求項２】
前記ヒータは、熱輻射式のヒータである請求項１記載の冷蔵庫。
【請求項３】
前記第１の導入通風路に前記温度切替室へ通風する風量を調整する第１のダンパを設け、前記第１の戻り通風路に前記温度切替室から出る空気の風量を調整する第２のダンパを設けた請求項１又は２記載の冷蔵庫。
【請求項４】
冷気を発生する冷却装置と、少なくとも１つの貯蔵室と、室温を切り替えられる温度切替室と、冷気を前記温度切替室へ通風する第１の導入通風路と、前記温度切替室内の空気を前記冷却装置へ通風する第１の戻り通風路と、前記温度切替室の温度を上げるヒータを設け、
前記第１の導入通風路に前記温度切替室へ通風する風量を調整する第１のダンパを設け、
前記第１の戻り通風路に前記温度切替室から出る空気の風量を調整する第２のダンパを設けたことを特徴とする冷蔵庫。
【請求項５】
前記第１の導入通風路内又は前記温度切替室内に、前記温度切替室内の空気を攪拌するファンモータを設けた請求項１〜４の何れかに記載の冷蔵庫。
【請求項６】
前記貯蔵室の１つが冷凍室であり、該冷凍室内の空気を前記冷却装置へ通風する第２の戻り通風路と、該第２の戻り通風路に前記冷凍室から出る空気の風量を調整する第３のダンパとを設けた請求項１〜５の何れかに記載の冷蔵庫。
【請求項７】
前記貯蔵室の１つが冷蔵室であり、該冷蔵室内にチルド室を設け、冷気を該チルド室へ通風する第２の導入通風路と、該第２の導入通風路に前記チルド室へ通風する風量を調整する第４のダンパとを設けた請求項１〜６の何れかに記載の冷蔵庫。
【請求項８】
前記冷却装置の冷媒が可燃性冷媒であり、前記ヒータの表面温度が該可燃性冷媒の発火点未満である請求項１〜７の何れかに記載の冷蔵庫。
【発明の詳細な説明】
【技術分野】
【０００１】
本発明は、温度切替室を備えた冷蔵庫に関するものである。
【背景技術】
【０００２】
近年、冷凍室及び冷蔵室に加えて、ユーザの用途に応じて冷凍、冷蔵、パーシャル、チルドなどの低温の温度帯に切り替えられる切替室を備えた冷蔵庫が発売されている。
【０００３】
例えば特許文献１には、切り換え室の温度が設定温度よりも低ければ、ダンパー装置は閉じ、ヒーター制御手段によってヒーター装置が通電する冷蔵庫が開示されている。これにより、切り換え室を冷凍と冷凍以外の温度帯（パーシャルやチルド）とに切り換える際に、冷凍温度を合理的に適温に維持できる。
【特許文献１】特開平１０−２８８４４０号公報
【発明の開示】
【発明が解決しようとする課題】
【０００４】
生活環境の変化が著しい昨今においては、家族それぞれが食事を摂る時間が異なる家庭が増えている。そのため従来では冷蔵庫とは別に保温箱や収納容器が用いられていた。しかしながら、これには食品の移し替えの頻度が高くなったり、保管場所が煩雑になるという問題があった。そこで、一般的なパーシャル、チルドの用途とは別に、調理済み食品の一時的な保温、冬場の温調理など、高温の切替室の実現が望まれている。
【０００５】
本発明は、一般的な冷却保存機能の他に保温機能を有した温度切替室を備えることにより、利便性の高い冷蔵庫を提供することを目的とする。
【課題を解決するための手段】
【０００６】
上記目的を達成するために本発明の冷蔵庫は、冷気を発生する冷却装置と、少なくとも１つの貯蔵室と、室温を切り替えられる温度切替室と、冷気を前記温度切替室へ通風する第１の導入通風路と、前記温度切替室内の空気を前記冷却装置へ通風する第１の戻り通風路と、前記温度切替室の温度を上げるヒータと、該ヒータを制御して前記温度切替室の室温を５０〜８０℃にする制御部とを備える。
【０００７】
この構成によると、温度切替室は、冷却装置からの冷気を導入すれば冷凍、パーシャル、チルド、冷蔵等ができる低温室となり、一方、ヒータを駆動させれば調理済み食品の一時的な保温や冬場の温調理等ができる高温室となる。例えば、調理した食材を鍋や容器ごと保温し、必要量を取り出した後、残った分をそのまま容器を移し替えずに冷凍保存することができる。
【０００８】
上記の冷蔵庫において、前記ヒータには熱輻射式のヒータ（例えば、ガラス管ヒータ）を用いることが好ましい。この熱輻射式のヒータは、加温スピードが速く、食品衛生上有利である。また、その容積は大きいが面積が小さいため、温度切替室の奥部に配すればユーザが火傷する危険も少ない。
【０００９】
また上記の冷蔵庫において、前記第１の導入通風路に前記温度切替室へ通風する風量を調整する第１のダンパを設け、前記第１の戻り通風路に前記温度切替室から出る空気の風量を調整する第２のダンパを設けることが望ましい。
【００１０】
この構成によると、温度切替室の冷却が必要な場合は、冷却装置との間で空気を循環させるために第１のダンパ及び第２のダンパを開く。そして、温度切替室が設定温度まで冷却されると第１のダンパを閉じ過冷却を防ぐ。なお、第２のダンパは閉じなくてもよいが、冷気の流出を防ぐために閉じる方が好ましい。一方、温度切替室で保温するため加温が必要な場合は、第１のダンパ及び第２のダンパを閉じ、ヒータを駆動させる。そして、設定温度まで加温されるとヒータを停止させる。このように、第２のダンパを閉じることにより、温度切替室の密閉性が向上し、保温性が向上する。また、流出した加熱された空気が他の室内に逆流することも防止できる。
【００１１】
また本発明の冷蔵庫は、冷気を発生する冷却装置と、少なくとも１つの貯蔵室と、室温を切り替えられる温度切替室と、冷気を前記温度切替室へ通風する第１の導入通風路と、前記温度切替室内の空気を前記冷却装置へ通風する第１の戻り通風路と、前記温度切替室の温度を上げるヒータを設け、前記第１の導入通風路に前記温度切替室へ通風する風量を調整する第１のダンパを設け、前記第１の戻り通風路に前記温度切替室から出る空気の風量を調整する第２のダンパを設けたことを特徴とするものである。
【００１２】
この構成によると、温度切替室は、冷却装置からの冷気を導入すれば冷凍、パーシャル、チルド、冷蔵等ができる低温室となり、一方、ヒータを駆動させれば調理済み食品の一時的な保温や冬場の温調理等ができる高温室となる。またヒータを駆動させる場合は、第１及び第２のダンパを閉じることにより、温度切替室の密閉性が向上し、保温性が向上する。更に、流出した加熱された空気が他の室内に逆流することも防止できる。そして、小型の冷蔵庫で食品貯蔵室が２つしか取れない場合でも、１つの貯蔵室と１つの温度切替室とを設ける構成にすることにより、個食化に対応した利便性の高い製品を提供できる。
【００１３】
第２のダンパに関しては、温度切替室を高温室として使用する際、他の貯蔵室への匂い移りが弊害としてあり、第２のダンパを閉じることにより、他の貯蔵室内の食品への匂いの付着を抑えることができ、保存性の向上にもなる。
【００１４】
また上記の冷蔵庫において、前記第１の導入通風路内又は前記温度切替室内に、前記温度切替室内の空気を攪拌するファンモータを設けることが望ましい。
【００１５】
この構成によると、ファンモータを駆動させると迅速に温度切り替えできるとともに、室内の温度を均一に保つことができる。またヒータの表面に送風することによりヒータ表面温度の上昇を防ぐことができる。
【００１６】
また上記の冷蔵庫において、前記貯蔵室の１つが冷凍室であり、該冷凍室内の空気を前記冷却装置へ通風する第２の戻り通風路と、該第２の戻り通風路に前記冷凍室から出る空気の風量を調整する第３のダンパとを設けることが望ましい。
【００１７】
温度切替室を高温側から低温側へ切り替えるには、迅速な温度切替が必要であり、ファンモータが動作し、温度切替室から冷却装置へ強制的に送風される。このとき、温度切替室からの空気が冷凍室へ逆流してしまうので、第３のダンパを閉じれば冷凍室の温度上昇を防ぐことができる。
【００１８】
また上記の冷蔵庫において、前記貯蔵室の１つが冷蔵室であり、該冷蔵室内にチルド室を設け、冷気を該チルド室へ通風する第２の導入通風路と、該第２の導入通風路に前記チルド室へ通風する風量を調整する第４のダンパとを設けることが望ましい。
【００１９】
この構成によると、チルド室が設定温度まで冷却された場合に、第４のダンパを閉じれば過冷却を防ぐことができる。
【００２０】
また上記の冷蔵庫において、前記冷却装置の冷媒が可燃性冷媒であり、前記ヒータの表面温度が該可燃性冷媒の発火点未満であることが望ましい。
【００２１】
この構成によると、冷却装置から冷媒が漏れた場合にヒータにより発火する危険がなくなり、より安全な冷蔵庫を提供できる。
【発明の効果】
【００２２】
本発明によると、一般的な冷却保存機能の他に保温機能を有した温度切替室を備えることにより、利便性の高い冷蔵庫を提供することができる。
【発明を実施するための最良の形態】
【００２３】
図１（ａ）は冷蔵庫の正面図、図１（ｂ）は冷蔵庫の右側面図である。冷蔵庫１は冷蔵室、製氷室、野菜室、冷凍室、チルド室等の複数の貯蔵室を備えている。冷蔵庫１は、上部に観音開きの扉を有する冷蔵室２、中央部左側に室温を約−１５℃〜８０℃の範囲で切り替えられる温度切替室３、中央部右側に製氷室４、下部左側に野菜室５、下部右側に冷凍室６が配されている。なお、冷蔵室２内の下部には、チルド温度帯（約０℃）に保たれるチルド室２３が設けられている。温度切替室３を設けることにより、例えば、調理した食材を鍋や容器ごと保温し、必要量を取り出した後、残った分をそのまま容器を移し替えずに冷凍保存することができる。
【００２４】
図２は、図１（ｂ）の透過図である。それぞれの室内には、使い勝手を良くするため、収納ケースや収納棚が設けられている。図３は温度切替室付近の右側面透過図である。温度切替室３は、上面が冷蔵室２との仕切７、下面が野菜室５との仕切８、前面が開閉式の扉９、背面が断熱壁１０で囲まれている。温度切替室３内には引出し式の収納ケース１１が収められている。収納ケース１１と断熱壁１０との間には、後述する蒸発器で発生した冷気を温度切替室３へ通風する第１の導入通風路１２が設けられている。この第１の導入通風路１２には温度切替室３と第１の導入通風路１２とを連通する第１のダンパ１３が備えられている。この第１のダンパ１３の開閉により第１の導入通風路１２から温度切替室３へ通風する風量が調整される。
【００２５】
また、第１のダンパ１３と温度切替室３との間の第１の導入通風路１２内にファンモータ１４が設けられている。このファンモータ１４により温度切替室３内の空気が効率良く攪拌される。なお、ファンモータ１４は温度切替室３内に設けてもよい。ファンモータ１４は後述するヒータ１５の表面に送風するように配設することが望ましい。ヒータの表面温度を下げて安全性を向上させるためである。温度切替室３の奥部には温度切替室３の温度を上げるガラス管ヒータからなるヒータ１５が備えられている。ヒータ１５の駆動は温度切替室３の外部に設けられた制御部（不図示）で制御される。このヒータ１５には、ガラス管ヒータ等の熱輻射式ヒータの他にアルミ蒸着ヒータ等の熱伝導式ヒータを用いることができる。
【００２６】
ヒータとしてはシート状のアルミ蒸着ヒータが安価で一般的である。しかし、温度切替室３を保温用に高温に設定した場合、熱伝導方式では加温スピードが遅く食中毒菌の発育温度帯である３０〜４５℃を通過するのに長時間要し、食品衛生上好ましくない。ここで、加温スピードを上げるには、ヒータ容量を上げればよいが、ヒータを貼り付ける周辺部品の耐熱温度（通常約８０℃）の制約がある。また熱伝導方式では広範囲な放熱面を要し、放熱面が温度切替室３の手前付近まで及ぶため、ユーザに火傷の危険が生じる。
【００２７】
一方、熱輻射式ヒータの場合は、加温スピードが速く、食品衛生上有利である。また、その容積は大きいが面積が小さいため、図３のように、温度切替室３の奥部に配すればユーザが火傷する危険も少ない。
【００２８】
また、温度切替室３の奥部の壁面には温度センサ１６が備えられている。この温度センサ１６は温度切替室３内の温度を検出し、上記制御部へ送る。この検出温度に基づいて、制御部がヒータ１５の駆動、第１のダンパ１３の開閉、ファンモータ１４を制御し、温度切替室３内を設定温度に保つ。
【００２９】
図４は、図１（ａ）の冷蔵庫の中央部及び下部付近の透過図であり、図５は、冷蔵庫の冷気回路の構成を示すブロック図である。図中、矢印は冷気の流れを示している。冷蔵庫１０の背面下部に圧縮機（不図示）や蒸発器１７からなる冷却装置が設けられている。この蒸発器１７内にはイソブタン等の冷媒が封入されている。そして、蒸発器１７内で冷媒が気化し、蒸発器１７の周囲の熱を奪い、周囲の空気が冷却され冷気となる。
【００３０】
冷凍室６の背面に蒸発器１７で発生した冷気を各室へ送風するファンモータ１８が設けられている。このファンモータ１８と温度切替室３は上述のように第１の導入通風路１２で連通され、冷気が矢印Ａの方向に流れる。そして、温度切替室３内の空気を蒸発器１７へ通風する第１の戻り通風路１９が設けられている。この第１の戻り通風路１９の温度切替室３側には温度切替室３と第１の戻り通風路１９とを連通する第２のダンパ２０が備えられている。この第２のダンパ２０の開閉により温度切替室３から出る空気の風量が調整される。このとき冷気は矢印Ｂの方向に流れ、後述する矢印Ｄと合流して矢印Ｃの方向に流れる。
【００３１】
また、ファンモータ１８と製氷室４とが通風路（不図示）で連通され、製氷室４と冷凍室６とが通風路（不図示）で連通されている。そして、ファンモータ１８により冷気が製氷室４、冷凍室６の順に送風される。冷凍室６内の空気を蒸発器１７へ通風する第２の戻り通風路２１が設けられている。この第２の戻り通風路２１の冷凍室６側には冷凍室６と第２の戻り通風路２１とを連通する第３のダンパ２２が備えられている。この第３のダンパ２２の開閉により冷凍室６から出る空気の風量が調整される。
【００３２】
また、蒸発器１７の冷気をチルド室２３へ通風する第２の導入通風路２４が設けられている。この第２の導入通風路２４にはチルド室２３と第２の導入通風路２４とを連通する第４のダンパ２５が備えられている。この第４のダンパ２５の開閉により第２の導入通風路２４からチルド室２３へ通風する風量が調整される。このとき冷気は矢印Ｅの方向に流れる。
【００３３】
また、蒸発器１７の冷気を冷蔵室２へ通風する第３の導入通風路２６が設けられている。この第３の導入通風路２６には冷蔵室２と第３の導入通風路２６とを連通する第５のダンパ２７が備えられている。この第５のダンパ２７の開閉により第３の導入通風路２６から冷蔵室２へ通風する風量が調整される。更に、第５のダンパ２７の冷蔵室２側であって第３の導入通風路２６に、ファンモータ２８が設けられている。このファンモータ２８により冷蔵室２内の空気が効率良く攪拌される。なお、ファンモータ２８は冷蔵室２内に設けてもよい。このとき冷気は矢印Ｆの方向に流れる。
【００３４】
また、冷蔵室２及びチルド室２３と野菜室５とが通風路（不図示）で連通されている。冷蔵室２とチルド室２３とから出た通風路は、冷蔵室２の背面左下に設けられた開口部に繋がっており、この開口部を通じて温度切替室３の背面を通り野菜室５に繋がっている。このとき冷気は矢印Ｇの方向に流れる。更に、野菜室５と蒸発器１７とが通風路（第１の戻り通風路１９と兼用）で連通されている。このとき冷気は矢印Ｄの方向に流れ、前述の矢印Ｂと合流して矢印Ｃの方向に流れる。
【００３５】
なお、野菜室５と蒸発器１７とを連通する通風路の野菜室５側に、ダンパを設けてもよい。これにより、温度切替室３からの熱風が野菜室５に逆流するのを防止できる。
【００３６】
次に、温度切替室３で設定可能な温度範囲について説明する。通常は、従来と同様に冷凍、パーシャル、チルド、冷蔵等の各温度帯、例えば、−１５℃、−８℃、０℃、３℃、８℃に設定できる。この場合は、第１のダンパ１３を開いて蒸発器１７からの冷気を温度切替室３内に導入すればよい。更に、温度切替室３はヒータ１５を備えているので、温度切替室３を高温に保ち、調理済み食品の一時的な保温や温調理などに利用できる。ここで、高温とは、食品の保温の観点からは雑菌の繁殖を防ぐために少しでも高い温度が望ましく、主な食中毒菌の発育温度である３０〜４５℃より高い必要がある。これにヒータ容量の公差と温度切替室３内の温度分布とを考慮して約５℃高く設定する必要がある。従って、５０℃を保温の最低温度とすることができる。
【００３７】
また、食中毒菌の滅菌には、例えば腸管出血性大腸菌（病原性大腸菌Ｏ１５７）では、７５℃で１分間の加熱が必要である。従って、上記と同様に５℃加算して、保温の最高温度は８０℃を目安とすることができる。ここで、一般的に冷蔵庫に用いられている樹脂部品の耐熱温度が８０℃であることを考慮すると、保温の最高温度は８０℃と決定できる。以上より、雑菌の繁殖を防ぎ食品の安全な保温と、周辺部品の安価な設計を考慮すると、保温のための温度切替室３の設定温度は、５０〜８０℃とすることができる。
【００３８】
例えば、ヒータ１５はガラス管ヒータ（消費電力：約１９０Ｗ、表面積：約１０，９９０ｍｍ2）を用いて間欠通電し、ファンモータ１４は軸流ファン付きのモータ（送風量：約０．４ｍ3／分）を運転することにより、温度切替室３（約０．０２３ｍ3）をほぼ８０℃に保つことができる。この時、ヒータ１５の最大表面温度は約２５０℃となり、可燃性冷媒であるイソブタンの発火点温度（４９４℃）未満にヒータ１５の表面温度が保たれる。ヒータ１５に定格１９０Ｗで１００％通電すると、温度切替室３は３０分でほぼ８０℃まで昇温する。その後の温度切替室３の保温は、ヒータ１５を通電率１５％（１５秒ＯＮ、８５秒ＯＦＦ）で間欠運転することにより達成できる。
【００３９】
従って、環境への配慮から冷凍サイクルに封入する冷媒として可燃性冷媒であるイソブタンを用いた場合であって、仮に蒸発器１７等からイソブタンが漏れたとしても、ヒータ１５の表面温度がイソブタンの発火点温度(４９４℃)未満に抑えられるので、ヒータ１５の発熱による爆発の危険性がなくなり、ユーザにとって、より安全な冷蔵庫を提供できる。
【００４０】
なお、食中毒菌の減菌に関する試験結果は以下の通りである。初期状態で、大腸菌２．４×１０3ＣＦＵ／ｍｌ、黄色ブドウ球菌２．０×１０3ＣＦＵ／ｍｌ、サルモネラ２．１×１０3ＣＦＵ／ｍｌ、腸炎ビブリオ１．５×１０3ＣＦＵ／ｍｌ、セレウス４．０×１０3ＣＦＵ／ｍｌを含むサンプルを、４０分掛けて３℃から５５℃に加温し、５５℃で３．５時間保温後、８０分掛けて５５℃から３℃に戻し、再度各菌の量を調べた。その結果、何れの菌も１０ＣＦＵ／ｍｌ以下（検出せず）のレベルまで減少していた。この実験結果より、５５℃で十分減菌効果があるといえる。そこで、温度切替室３の保温の設定温度としては５５℃を用いることができる。
【００４１】
次に、各ダンパ等の動作制御について説明する。温度切替室３の冷却が必要な場合は、蒸発器１７及びファンモータ１８が駆動し、第１のダンパ１３及び第２のダンパ２０が開き、ファンモータ１８からの送風により冷気が温度切替室３内を通り蒸発器１７に戻る。このときファンモータ１４を駆動させると迅速に冷却されるが、必ずしも駆動させる必要はない。そして、温度切替室３が設定温度まで冷却されると第１のダンパ１３が閉じ過冷却を防ぐ。なお、第２のダンパ２０は閉じなくてもよいが、冷気の流出を防ぐために閉じる方が好ましい。
【００４２】
一方、温度切替室３で保温するため加温が必要な場合は、第１のダンパ１３及び第２のダンパ２０を閉じ、ヒータ１５を駆動させる。そして、設定温度まで加温されるとヒータ１５を停止させる。なお保温時は、ファンモータ１４を駆動させると室内の温度を均一に保つことができる。またファンモータ１４により熱輻射式の弱点であるヒータ表面温度の上昇を防ぐことができる。従来の冷蔵庫では第２のダンパ２０がないため温度切替室３と蒸発器１７とが常に連通されており、温度切替室３内で加熱された空気が対流により温度切替室３から流出してしまい、加熱効率が著しく悪化する。本発明によれば、第２のダンパ２０を閉じることにより、温度切替室３の密閉性が向上し、保温性が向上する。また、流出した加熱された空気が野菜室５などに逆流することも防止できる。更に、温度切替室３を高温室として使用する際、第２のダンパ２０を閉じることにより、他の貯蔵室内の食品への匂いの付着を抑えることができ、保存性の向上にもなる。
【００４３】
冷蔵室２の冷却が必要な場合は、蒸発器１７及びファンモータ１８が駆動し、第５のダンパ２７が開き、ファンモータ１８からの送風により冷気が冷蔵室２内を通り野菜室５に送られる。そして、冷蔵室２が設定温度まで冷却されると第５のダンパ２７が閉じ過冷却を防ぐ。チルド室２３の冷却も第４のダンパ２５を同様に制御すればよい。なお、温度切替室３が高温側に設定されている場合は、チルド室２３を過冷却気味に制御することが望ましい。これは、温度切替室３からの熱漏洩によるチルド室２３及び野菜室５の温度上昇を防ぐためである。
【００４４】
なお、ファンモータ１８と製氷室４とが連通される通風路（不図示）には、ダンパが設けられていないので、蒸発器１７及びファンモータ１８の駆動時には、製氷室４及び冷凍室６に常に冷気が送風される。このとき第３のダンパ２２は開いている。ここで、製氷室４への送風量は第１のダンパ１３、第４のダンパ２５、第５のダンパ２７の開閉状態によって変化する。なお、ファンモータ１８が停止している場合であって、温度切替室３を高温側から低温側へ切り替える際に高温の空気が蒸発器１７へ戻される場合には、第３のダンパ２２が閉じる。温度切替室３を高温側から低温側へ切り替えるには、迅速な温度切替が必要であり、ファンモータ１４が動作し、温度切替室３から蒸発器１７へ強制的に送風される。このとき、ファンモータ１８が駆動していない場合、温度切替室３からの空気が冷凍室６へ逆流してしまうので、第３のダンパ２２を閉じて冷凍室６の温度上昇を防いでいる。
【産業上の利用可能性】
【００４５】
本発明の冷蔵庫は、温度切替室を備えていれば、形状や用途には関係なく利用することができる。
【図面の簡単な説明】
【００４６】
【図１】（ａ）冷蔵庫の正面図である。（ｂ）冷蔵庫の右側面図である。
【図２】図１（ｂ）の透過図である。
【図３】温度切替室付近の右側面透過図である。
【図４】図１（ａ）の冷蔵庫の中央部及び下部付近の透過図である。
【図５】冷蔵庫の冷気回路の構成を示すブロック図である。
【符号の説明】
【００４７】
１    冷蔵庫
２    冷蔵室
３    温度切替室
６    冷凍室
１２    第１の導入通風路
１３    第１のダンパ
１４    ファンモータ
１５    ヒータ
１９    第１の戻り通風路
２０    第２のダンパ
２１    第２の戻り通風路
２２    第３のダンパ
２４    第２の導入通風路
２５    第４のダンパ
【図１】
2006125705.tif 000003
【図２】
2006125705.tif 000004
【図３】
2006125705.tif 000005
【図４】
2006125705.tif 000006
【図５】
2006125705.tif 000007
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
冷気を発生する冷却装置と、
少なくとも１つの貯蔵室と、
室温を切り替えられる温度切替室と、
冷気を前記温度切替室へ通風する第１の導入通風路と、
前記温度切替室内の空気を前記冷却装置へ通風する第１の戻り通風路と、
前記温度切替室の温度を上げるヒータと、
該ヒータを制御して前記温度切替室の室温を５０℃以上６０℃未満にする制御部と
を備えた冷蔵庫。
【請求項２】
冷気を発生する冷却装置と、
少なくとも１つの貯蔵室と、
複数の設定温度から使用者により選択された設定温度に室温を切り替えられる温度切替室と、
冷気を前記温度切替室へ通風する第１の導入通風路と、
前記温度切替室内の空気を前記冷却装置へ通風する第１の戻り通風路と、
前記温度切替室の温度を上げるヒータと、
冷気を前記温度切替室に導入して前記温度切替室の室温を貯蔵物を冷却保存する低温側にするとともに、前記ヒータにより前記温度切替室の室温を貯蔵物を保温する高温側にする制御部と、
を備え、高温側の設定温度の最低温度を５０℃にしたことを特徴とする冷蔵庫。
【請求項３】
前記第１の導入通風路に前記温度切替室へ通風する風量を調整する第１のダンパを設け、前記第１の戻り通風路に前記温度切替室から出る空気の風量を調整する第２のダンパを設けた請求項１又は２記載の冷蔵庫。
【請求項４】
前記第１の導入通風路内又は前記温度切替室内に、前記温度切替室内の空気を攪拌するファンモータを設けた請求項１〜３の何れかに記載の冷蔵庫。
【請求項５】
前記貯蔵室の１つが冷凍室であり、該冷凍室内の空気を前記冷却装置へ通風する第２の戻り通風路と、該第２の戻り通風路に前記冷凍室から出る空気の風量を調整する第３のダンパとを設けた請求項１〜４の何れかに記載の冷蔵庫。
【手続補正２】
【補正対象書類名】明細書
【補正対象項目名】０００６
【補正方法】変更
【補正の内容】
【０００６】
上記目的を達成するために本発明の冷蔵庫は、冷気を発生する冷却装置と、少なくとも１つの貯蔵室と、室温を切り替えられる温度切替室と、冷気を前記温度切替室へ通風する第１の導入通風路と、前記温度切替室内の空気を前記冷却装置へ通風する第１の戻り通風路と、前記温度切替室の温度を上げるヒータと、該ヒータを制御して前記温度切替室の室温を５０℃以上６０℃未満にする制御部とを備える。
【手続補正３】
【補正対象書類名】明細書
【補正対象項目名】０００８
【補正方法】変更
【補正の内容】
【０００８】
上記目的を達成するために本発明の冷蔵庫は、冷気を発生する冷却装置と、少なくとも１つの貯蔵室と、複数の設定温度から使用者により選択された設定温度に室温を切り替えられる温度切替室と、冷気を前記温度切替室へ通風する第１の導入通風路と、前記温度切替室内の空気を前記冷却装置へ通風する第１の戻り通風路と、前記温度切替室の温度を上げるヒータと、冷気を前記温度切替室に導入して前記温度切替室の室温を貯蔵物を冷却保存する低温側にするとともに、前記ヒータにより前記温度切替室の室温を貯蔵物を保温する高温側にする制御部と、を備え、高温側の設定温度の最低温度を５０℃にしたことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】